(57)【要約】      （修正有）【課題】移動車両内で撮影した医療用画像データをセキュアな通信環境で施設内に転送する場合に最適な転送方法を選択するために、移動車両の停車場所毎に異なるデータの転送環境を、移動車両側から適切に把握する。【解決手段】移動車両内に設けられている第１のＶＰＮルータと、施設内に設けられている第２のＶＰＮルータにより構築されたＶＰＮ接続を介して、第２のＶＰＮルータと接続されて施設内に設けられている第２の情報処理装置に、移動車両内のモダリティにより撮影された医用画像の転送を行う医用画像転送システムにおいて、第１のＶＰＮルータがデータ通信を行う電波の強弱状況を取得し、第１の情報処理装置が第１のＶＰＮルータから取得した強弱状況を受信し、強弱状況に基づいて、モダリティにより撮影された医用画像の第２の情報処理装置への転送状況が良好か否かを判断して、転送状況に応じて、第２の情報処理装置への転送モードを切り替えるる。【選択図】図１
2020031425.tif 000002
【特許請求の範囲】
【請求項１】
移動車両内に設けられている第１のＶＰＮルータと、施設内に設けられている第２のＶＰＮルータにより構築されたＶＰＮ接続を介して、前記第２のＶＰＮルータと接続されて前記施設内に設けられている第２の情報処理装置に、前記移動車両内のモダリティにより撮影された医用画像の転送を行う医用画像転送システムであって、
前記第１のＶＰＮルータは、
通信キャリア電話網から送信される電波を用いてデータ通信する通信手段と、
前記データ通信を行う電波の強弱状況を取得する取得手段と、
を備え、
前記第１の情報処理装置は、
前記第１のＶＰＮルータがデータ通信を行う電波を用いて、移動車両内のモダリティにより撮影された医用画像の転送を行う転送手段と、
前記第１のＶＰＮルータから、前記取得した強弱状況を受信する受信手段と、
前記受信した強弱状況に基づいて、前記モダリティにより撮影された医用画像の前記第２の情報処理装置への転送状況が良好か否かを判断する第１の判断手段と、
前記第１の判断手段が判断した転送状況に応じて、前記転送手段による前記第２の情報処理装置への転送モードを切り替えるべく制御する制御手段と、
を備えることを特徴とする医用画像転送システム。
【請求項２】
前記第１の情報処理装置は、
前記第１のＶＰＮルータがデータ通信を行う電波を用いてデータの通信速度を計測する計測手段と、
前記計測した通信速度に基づいて、前記モダリティにより撮影された医用画像の前記第２の情報処理装置への転送速度が良好か否かを判断する第２の判断手段と、
第２の判断手段により転送速度が良好ではないと判断された場合には、第２の判断手段により転送速度が良好であると判断するまで、移動車両内のモダリティにより撮影された医用画像の転送を一時停止する一時停止手段と、
をさらに備えることを特徴とする請求項１に記載の医用画像転送システム。
【請求項３】
前記第１の情報処理装置は、
前記第２の判断手段により転送速度が良好ではないと判断された場合には、前記第２の判断手段により転送速度が良好ではないと判断されてから前記第２の判断手段により転送速度が良好であると判断するまでに前記移動車両内のモダリティにより撮影された医用画像のデータを記憶部に保存する保存手段と、
前記第２の判断手段により転送速度が良好であると判断されたあとに、前記転送手段が前記保存した医用画像を転送することを備えることを特徴とする請求項２に記載の医用画像転送システム。
【請求項４】
前記第１の情報処理装置は、
前記第１のＶＰＮルータがデータ通信を行う電波を用いてデータの通信速度を計測する計測手段と、
前記計測した通信速度に基づいて、前記モダリティにより撮影された医用画像の前記第２の情報処理装置への転送速度が良好か否かを識別可能な通信速度情報を表示する表示手段と、
をさらに備えることを特徴とする請求項１乃至請求項３の何れか１項に記載の医用画像転送システム。
【請求項５】
前記第１の情報処理装置は、
前記移動車両内のモダリティにより撮影された医用画像のサイズを縮小するべく、所定の圧縮処理により医用画像を圧縮する圧縮手段をさらに備え、
前記圧縮手段が圧縮したあとに前記転送手段が前記第２の情報処理装置に転送し、
前記第２の情報処理装置は、
前記モダリティにより撮影された医用画像のサイズに復元するべく、所定の解凍処理により転送された医用画像を解凍する解凍手段をさらに備えることを特徴とする請求項１乃至請求項４の何れか１項に記載の医用画像転送システム。
【請求項６】
移動車両内に設けられている第１のＶＰＮルータと、施設内に設けられている第２のＶＰＮルータにより構築されたＶＰＮ接続を介して、前記第２のＶＰＮルータと接続されて前記施設内に設けられている第２の情報処理装置に、前記移動車両内のモダリティにより撮影された医用画像の転送を行う医用画像転送システムの制御方法であって、
前記第１のＶＰＮルータの通信手段が、通信キャリア電話網から送信される電波を用いてデータ通信する通信工程と、
前記第１のＶＰＮルータの取得手段が、前記データ通信を行う電波の強弱状況を取得する取得工程と、
を含み、
前記第１の情報処理装置の転送手段が、前記第１のＶＰＮルータがデータ通信を行う電波を用いて、移動車両内のモダリティにより撮影された医用画像の転送を行う転送工程と、
前記第１の情報処理装置の受信手段が、前記第１のＶＰＮルータから、前記取得した強弱状況を受信する受信工程と、
前記第１の情報処理装置の第１の判断手段が、前記受信した強弱状況に基づいて、前記モダリティにより撮影された医用画像の前記第２の情報処理装置への転送状況が良好か否かを判断する第１の判断工程と、
前記第１の情報処理装置の制御手段が、前記第１の判断手段において判断した転送状況に応じて、前記転送手段による前記第２の情報処理装置への転送モードを切り替えるべく制御する制御工程と、
を含むことを特徴とする制御方法。
【請求項７】
移動車両内に設けられている第１のＶＰＮルータと、施設内に設けられている第２のＶＰＮルータにより構築されたＶＰＮ接続を介して、前記第２のＶＰＮルータと接続されて前記施設内に設けられている第２の情報処理装置に、前記移動車両内のモダリティにより撮影された医用画像の転送を行う医用画像転送システムで読み取り実行可能なプログラムあって、
前記第１のＶＰＮルータを、
通信キャリア電話網から送信される電波を用いてデータ通信する通信手段と、
前記データ通信を行う電波の強弱状況を取得する取得手段と、
として機能させ、
前記第１の情報処理装置を、
前記第１のＶＰＮルータがデータ通信を行う電波を用いて、移動車両内のモダリティにより撮影された医用画像の転送を行う転送手段と、
前記第１のＶＰＮルータから、前記取得した強弱状況を受信する受信手段と、
前記受信した強弱状況に基づいて、前記モダリティにより撮影された医用画像の前記第２の情報処理装置への転送状況が良好か否かを判断する第１の判断手段と、
前記第１の判断手段が判断した転送状況に応じて、前記転送手段による前記第２の情報処理装置への転送モードを切り替えるべく制御する制御手段と、
して機能させることを特徴とするプログラム。
【請求項８】
通信キャリア電話網から送信される電波を用いてデータ通信する通信手段と、前記データ通信を行う電波の強弱状況を取得する取得手段とを備え、移動車両内に設けられている第１のＶＰＮルータと、施設内に設けられている第２のＶＰＮルータにより構築されたＶＰＮ接続を介して、前記第２のＶＰＮルータと接続されて前記施設内に設けられている情報処理装置に、前記移動車両内のモダリティにより撮影された医用画像の転送を行う転送装置であって、
前記第１のＶＰＮルータがデータ通信を行う電波を用いて、移動車両内のモダリティにより撮影された医用画像の転送を行う転送手段と、
前記第１のＶＰＮルータから、前記取得した強弱状況を受信する受信手段と、
前記受信した強弱状況に基づいて、前記モダリティにより撮影された医用画像の前記第２の情報処理装置への転送状況が良好か否かを判断する第１の判断手段と、
前記第１の判断手段が判断した転送状況に応じて、前記転送手段による前記情報処理装置への転送モードを切り替えるべく制御する制御手段と、
を備えることを特徴とする転送装置。
【請求項９】
通信キャリア電話網から送信される電波を用いてデータ通信する通信手段と、前記データ通信を行う電波の強弱状況を取得する取得手段とを備え、移動車両内に設けられている第１のＶＰＮルータと、施設内に設けられている第２のＶＰＮルータにより構築されたＶＰＮ接続を介して、前記第２のＶＰＮルータと接続されて前記施設内に設けられている情報処理装置に、前記移動車両内のモダリティにより撮影された医用画像の転送を行う転送装置の制御方法であって、
前記転送装置の転送手段が、前記第１のＶＰＮルータがデータ通信を行う電波を用いて、移動車両内のモダリティにより撮影された医用画像の転送を行う転送工程と、
前記転送装置の受信手段が、前記第１のＶＰＮルータから、前記取得した強弱状況を受信する受信工程と、
前記転送装置の第１の判断手段が、前記受信した強弱状況に基づいて、前記モダリティにより撮影された医用画像の前記第２の情報処理装置への転送状況が良好か否かを判断する第１の判断工程と、
前記転送装置の制御手段が、前記第１の判断工程において判断した転送状況に応じて、前記転送工程による前記情報処理装置への転送モードを切り替えるべく制御する制御工程と、
を含むことを特徴とする制御方法。
【請求項１０】
通信キャリア電話網から送信される電波を用いてデータ通信する通信手段と、前記データ通信を行う電波の強弱状況を取得する取得手段とを備え、移動車両内に設けられている第１のＶＰＮルータと、施設内に設けられている第２のＶＰＮルータにより構築されたＶＰＮ接続を介して、前記第２のＶＰＮルータと接続されて前記施設内に設けられている情報処理装置に、前記移動車両内のモダリティにより撮影された医用画像の転送を行う転送装置で読み取り実行可能なプログラムであって、
前記転送装置を、
前記第１のＶＰＮルータがデータ通信を行う電波を用いて、移動車両内のモダリティにより撮影された医用画像の転送を行う転送手段と、
前記第１のＶＰＮルータから、前記取得した強弱状況を受信する受信手段と、
前記受信した強弱状況に基づいて、前記モダリティにより撮影された医用画像の前記第２の情報処理装置への転送状況が良好か否かを判断する第１の判断手段と、
前記第１の判断手段が判断した転送状況に応じて、前記転送手段による前記情報処理装置への転送モードを切り替えるべく制御する制御手段と、
として機能させることを特徴とするプログラム。
【発明の詳細な説明】
【技術分野】
【０００１】
本発明は、医用画像転送システム、転送装置、及びその制御方法とプログラムの技術に関する。
【背景技術】
【０００２】
厚生労働省の医療情報システムの安全管理に関するガイドラインによると、医療用画像等の拠点間ネットワーク通信はセキュアな環境を担保することが記載されている。
【０００３】
例えば、特許文献１には、車に搭載された撮像装置と診断卓装置を無線回線で接続するとともに、撮像装置で撮影した医療用画像データを、無線回線を介して遠隔の診断卓装置に伝送する技術が開示されている。
しかしながら特許文献１は車の中で撮影された医療用画像データを単に無線回線を介して伝送する技術であり通信回線の安全性には何ら考慮されていない。
【先行技術文献】
【特許文献】
【０００４】
【特許文献１】特開２００２−３０６４６３号公報
【発明の概要】
【発明が解決しようとする課題】
【０００５】
移動車両内にセキュアな通信環境を構築するルータを設けた場合、ルータは移動車両内では無線接続でネットワーク接続する必要があり、セキュアな通信環境におけるルータの転送状況をリアルタイムに適切に把握できないといった問題がある。
【０００６】
本発明は、移動車両内で撮影した医療用画像データをセキュアな通信環境で施設内に転送する場合に最適な転送方法を選択するために、移動車両の停車場所毎に異なるデータの転送環境を、移動車両側から適切に把握する仕組みを提供することを目的とする。
【課題を解決するための手段】
【０００７】
本発明は、移動車両内に設けられている第１のＶＰＮルータと、施設内に設けられている第２のＶＰＮルータにより構築されたＶＰＮ接続を介して、前記第２のＶＰＮルータと接続されて前記施設内に設けられている第２の情報処理装置に、前記移動車両内のモダリティにより撮影された医用画像の転送を行う医用画像転送システムであって、前記第１のＶＰＮルータは、通信キャリア電話網から送信される電波を用いてデータ通信する通信手段と、前記データ通信を行う電波の強弱状況を取得する取得手段と、を備え、前記第１の情報処理装置は、前記第１のＶＰＮルータがデータ通信を行う電波を用いて、移動車両内のモダリティにより撮影された医用画像の転送を行う転送手段と、前記第１のＶＰＮルータから、前記取得した強弱状況を受信する受信手段と、前記受信した強弱状況に基づいて、前記モダリティにより撮影された医用画像の前記第２の情報処理装置への転送状況が良好か否かを判断する第１の判断手段と、前記第１の判断手段が判断した転送状況に応じて、前記転送手段による前記第２の情報処理装置への転送モードを切り替えるべく制御する制御手段と、を備えることを特徴とする。
【０００８】
本発明は、通信キャリア電話網から送信される電波を用いてデータ通信する通信手段と、前記データ通信を行う電波の強弱状況を取得する取得手段とを備え、移動車両内に設けられている第１のＶＰＮルータと、施設内に設けられている第２のＶＰＮルータにより構築されたＶＰＮ接続を介して、前記第２のＶＰＮルータと接続されて前記施設内に設けられている情報処理装置に、前記移動車両内のモダリティにより撮影された医用画像の転送を行う転送装置であって、前記第１のＶＰＮルータがデータ通信を行う電波を用いて、移動車両内のモダリティにより撮影された医用画像の転送を行う転送手段と、前記第１のＶＰＮルータから、前記取得した強弱状況を受信する受信手段と、前記受信した強弱状況に基づいて、前記モダリティにより撮影された医用画像の前記第２の情報処理装置への転送状況が良好か否かを判断する第１の判断手段と、前記第１の判断手段が判断した転送状況に応じて、前記転送手段による前記情報処理装置への転送モードを切り替えるべく制御する制御手段と、を備えることを特徴とする。
【発明の効果】
【０００９】
本発明により、移動車両内で撮影した医療用画像データをセキュアな通信環境で施設内に転送する場合に最適な転送方法を選択するために、移動車両の停車場所毎に異なるデータの転送環境を、移動車両側から適切に把握する仕組みを提供することが可能となる。
【図面の簡単な説明】
【００１０】
【図１】本願発明の医療画像転送システムで用いられる各ハードウエア装置が連携するシステム構成図及びＤＩＣＯＭ画像の転送方法の概念を示す図。
【図２】本願発明の健康診断用移動車両内で実行される処理プログラムのフローチャートの一例を示す図。
【図３】本願発明の健康診断施設内で実行される処理プログラムのフローチャートの一例を示す図
【図４】本願発明の医療画像転送システムで用いられる各ハードウエア装置内部の構成図を示す図。
【図５】本願発明の転送モードの切り替えの判断基準として用いられる条件をユーザが設定する設定ファイルの一例を示す図。
【図６】本願発明で転送されるＤＩＣＯＭ画像の転送状況を管理する管理テーブルの一例を示す図。
【発明を実施するための形態】
【００１１】
図１を説明する。
【００１２】
移動車両１００内に設けられているＶＰＮルータ３０３と、施設２００内に設けられているＶＰＮルータ４００により構築されたＶＰＮ接続を介して、ＶＰＮルータ４００に接続されて施設２００内に設けられている情報処理装置４０１に、移動車両１００内のモダリティ装置３００により撮影された医用画像３０１の転送を行う医用画像転送システムの構成を示した図である。
【００１３】
移動車両１００とは例えば健康診断時に健康診断施設から、健康診断の会場に配車されるバスであり、社内には、胸部や腹部のレントゲン画像を撮影するＸ線デジタル検査装置等が設置されている。Ｘ線デジタル検査装置は本願発明でのモダリティ装置３００の好適な例である。
【００１４】
モダリティ装置３００で撮影された医用画像（ＤＩＣＯＭ画像）は有線のネットワークケーブルを介して、情報処理装置３０２と接続されているが、Ｂｌｕｅｔｏｏｔｈ（登録商標）等の近距離での無線通信であってもよい。
情報処理装置３０２とＶＰＮルータ３０３とは移動車両内でＬＡＮが構築されている。
【００１５】
ＶＰＮルータ３０３はＶＰＮルータ４００との間でＶＰＮ環境を構築するためのものであり、インターネットＶＰＮともいう。両者間で通信されるデータの盗聴等を抑えながら、両者間でのデータ相互通信を行うことが可能となる。
【００１６】
施設２００とは例えば健康診断の結果を管理する健康診断医療センターであるが、特に病院等の医療施設には限定されず、固定されたままＶＰＮ装置を設置できる環境であればよく医用画像を専門に管理する施設であるデータセンタ等であってもよい。
【００１７】
医用画像管理サーバ（情報処理装置）４０３は、例えばＰＡＣＳ（医療用画像管理  システム）であり、ＣＴ，ＭＲＩといった画像撮影装置（モダリティ）から受信した画像  データも保管、閲覧、管理するものである。
ドングル装置３０４は、通信キャリア電話網から送信される電波を用いてデータ通信する通信手段として機能している。ドングル装置３０４はＶＰＮルータ３０３とＵＳＢ接続されており、通信事業者から発信されているＬＴＥ（４Ｇ）や３Ｇの電波を受信することができ、ＬＴＥ（４Ｇ）や３Ｇの電波を用いてデータ通信を行うことができる。
【００１８】
なお、本実施例ではドングル装置３０４は、ＶＰＮルータ３０３にＵＳＢ接続されており、それぞれが別体の装置であるが、変形例としてドングル装置３０４を内蔵するＶＰＮルータ３０３であってもよい。
図２を説明する。
＜モダリティ３００による動作＞
【００１９】
モダリティ３００のＣＰＵが読み取り実行可能なプログラムを実行することにより、各ステップの動作指示をして、図に示す各工程（処理）を実行するものとする。
Ｓ１０１でモダリティ３００は患者の医用画像（ＤＩＣＯＭ画像ファイル）を撮影する。
【００２０】
Ｓ１０２でモダリティ３００は、撮影したＤＩＣＯＭ画像ファイル３０１をＳＣＰ（Ｓｅｒｖｉｃｅ  Ｃｌａｓｓ  Ｐｒｏｖｉｄｅｒ）として情報処理装置３０２に送信する。
＜情報処理装置３０２による動作＞
【００２１】
情報処理装置３０２のＣＰＵが読み取り実行可能なプログラムを実行することにより、各ステップの動作指示をして、図に示す各工程（処理）を実行するものとする。
Ｓ１０３で情報処理装置３０２は送信されたＤＩＣＯＭ画像ファイルをＳＣＵ（Ｓｅｒｖｉｃｅ  Ｃｌａｓｓ  Ｕｓｅｒ）として受信する。
Ｓ１０４で情報処理装置３０２は受信したＤＩＣＯＭ画像ファイルを予め定められたフォルダ内に保存する。
【００２２】
Ｓ１０５で情報処理装置３０２はフォルダ内に保存されているＤＩＣＯＭ画像ファイルの圧縮処理を開始する。これは、移動車両内のモダリティ３００により撮影されたＤＩＣＯＭ画像ファイルのサイズを縮小するためであり、所定の圧縮処理によりＤＩＣＯＭ画像ファイルを圧縮する（圧縮手段）。所定の圧縮処理とは、施設側で解凍するので、可逆圧縮であればよく、例えばＺＩＰ形式等でＤＩＣＯＭ画像ファイルのサイズを圧縮するものが好適である。圧縮前のＤＩＣＯＭ画像ファイルのサイズは１ファイル当たりの平均的に１６〜２０ＭＢである。
Ｓ１０６で情報処理装置３０２は圧縮処理が終了したか否かを判断し、終了した（ＹＥＳ）と判断した場合にＳ１０７に進む。
【００２３】
Ｓ１０７で情報処理装置３０２は、圧縮済みのＤＩＣＯＭ画像ファイル（圧縮画像ファイル）を情報処理装置３０２の記憶部（例えばハードディスクドライブ）に保存する（保存手段）。
【００２４】
さらに、Ｓ１１６で初めに転送速度が良好ではないと判断された場合には転送が一時停止されるので、Ｓ１１６で転送速度が良好ではないと判断されてから再びＳ１１６で転送速度が良好であると判断するまでの間、移動車両内のモダリティ３００により撮影された圧縮画像ファイルを記憶部に一時保存してもよい。再びＳ１１６で転送速度が良好であると判断されたあとに、一時保存した圧縮画像ファイルを転送してもよい。
Ｓ１０８で情報処理装置３０２は、ドングル装置３０４が取得した最新の電波の強弱状況をＶＰＮルータ３０３から受信する（受信手段）。
【００２５】
Ｓ１０９で情報処理装置３０２は、Ｓ１０８で受信した強弱状況に基づいて、モダリティ３００により撮影された圧縮画像ファイルの情報処理装置４０１への転送状況が良好か否かを判断する（第１の判断手段）。このようにＳ１０９で判断した転送状況に応じて、Ｓ１１０での情報処理装置４０１への転送モードが切り替えるように制御している（制御手段）。
【００２６】
Ｓ１０９で転送状況が良好である（ＹＥＳ）と判断した場合には、Ｓ１１５に進み、Ｓ１１６で転送状況が良好ではない（Ｎｏ）と判断した場合にはＳ１１１に進む。
Ｓ１１５で情報処理装置３０２は、ＶＰＮルータ３０３がデータ通信を行う電波を用いてデータの通信速度を計測する（計測手段）。
【００２７】
さらに、ここで計測した通信速度に基づいて、モダリティ３００により撮影された圧縮画像ファイルの情報処理装置４０１への転送速度が良好か否かを識別可能な通信速度情報を情報処理装置３０２の画面（図示しない）表示する（表示手段）。
【００２８】
Ｓ１１６で情報処理装置３０２は、Ｓ１１５で計測した通信速度に基づいて、モダリティ３００により撮影された圧縮画像ファイルの情報処理装置４０１への転送速度が良好か否かを判断する（第２の判断手段）。Ｓ１１６で通信速度が良好である（ＹＥＳ）と判断した場合には、Ｓ１１０に進み、Ｓ１１６で通信速度が良好ではない（Ｎｏ）と判断した場合にはＳ１１１に進む。
【００２９】
Ｓ１１０で情報処理装置３０２はＶＰＮルータ３０３がデータ通信を行う電波を用いて、移動車両内のモダリティ３００により撮影された圧縮画像ファイルを、ＦＴＰ（Ｆｉｌｅ  Ｔｒａｎｓｆｅｒ  Ｐｒｏｔｏｃｏｌ）を用いて情報処理装置４０１内に予め作成されているフォルダのファイルパスに転送を行う（転送手段）。
【００３０】
Ｓ１１１で情報処理装置３０２は、Ｓ１１６で転送速度が良好ではないと判断されたので、Ｓ１１６で再び転送速度が良好であると判断されるまでの間、移動車両内のモダリティ３００により撮影された圧縮画像ファイルの転送を一時停止する（一時停止手段）。
【００３１】
Ｓ１１３で情報処理装置３０２は、圧縮画像ファイルが保存されているフォルダを検索して、また転送していない別の圧縮画像があるか否かを判断する。別の圧縮画像ファイルがある（ＹＥＳ）と判断した場合には、Ｓ１０７に戻って、Ｓ１０８以降の処理を繰り返す。ここで別の圧縮画像ファイルがない（ＮＯ）と判断された場合には、Ｓ１０１で新たに患者のＤＩＣＯＭ画像がされるまで待機する（Ｓ１１４）。
＜ＶＰＮルータ３０３による動作＞
【００３２】
ＶＰＮルータ３０３のＣＰＵが読み取り実行可能なプログラムを実行することにより、各ステップの動作指示をして、図に示す各工程（処理）を実行するものとする。
Ｓ２０１でドングル装置３０４は、通信キャリア電話網から送信される電波（ＬＴＥまたは３Ｇ）を受信する。
【００３３】
Ｓ２０２でＶＰＮルータ３０３は、ドングル装置３０４が受信した電波（ＬＴＥまたは３Ｇ）の電波レベル（強弱状況）を随時取得している（取得手段）。取得した電波レベル（強弱状況）はＬＡＮケーブルを介して情報処理装置３０２に随時送信されている。このようにしてＳ１０８において情報処理装置３０２は最新の電波レベル（強弱状況）を監視している。
【００３４】
Ｓ２０３でＶＰＮルータ３０３は、情報処理装置３０２からの指示または、定期的なプログラムによってＶＰＮルータ４００との間の通信速度を計測するためのダミーのテストデータを通信する。計測後このダミーのテストデータの通信結果を情報処理装置３０２に送信する。
Ｓ１１２でＶＰＮルータ３０３は、Ｓ１１０で情報処理装置３０２からＦＴＰ転送指示された圧縮画像ファイルをＶＰＮルータ４００までルーティングする。
図３を説明する。
＜ＶＰＮルータ４００による動作＞
【００３５】
ＶＰＮルータ４００のＣＰＵが読み取り実行可能なプログラムを実行することにより、各ステップの動作指示をして、図に示す各工程（処理）を実行するものとする。
Ｓ３０１でＶＰＮルータ４００をインターネット通信が可能な施設内のＬＡＮに接続された状態にする。
Ｓ３０２でＶＰＮルータ４００は、Ｓ１１０で情報処理装置３０２からＦＴＰ転送指示された圧縮画像ファイルを情報処理装置４０１までルーティングする。
＜情報処理装置４０１による動作＞
【００３６】
情報処理装置４０１のＣＰＵが読み取り実行可能なプログラムを実行することにより、各ステップの動作指示をして、図に示す各工程（処理）を実行するものとする。
Ｓ３０３で情報処理装置４０１は、情報処理装置３０２からＦＴＰ転送された圧縮画像ファイルを受信する。
Ｓ３０４で情報処理装置４０１は、受信した圧縮画像ファイルをＳ１１０において予め定められた情報処理装置４０１内のフォルダ内に保存する。
【００３７】
Ｓ３０５で情報処理装置４０１はフォルダ内に保存されている圧縮画像ファイルの解凍処理を開始する。これは、移動車両内のモダリティにより撮影された元のＤＩＣＯＭ画像ファイルのサイズに復元するためであり、所定の解凍処理により圧縮画像ファイルを解凍する（解凍手段）。
Ｓ３０６で情報処理装置４０１は解凍処理が終了したか否かを判断し、終了した（ＹＥＳ）と判断した場合にＳ３０７に進む。
Ｓ３０７で情報処理装置４０１は、解凍後のＤＩＣＯＭ画像ファイルを情報処理装置４０１の記憶部（例えばハードディスクドライブ）に保存する。
【００３８】
Ｓ３０８で情報処理装置４０１、保存されたＤＩＣＯＭ画像ファイル４０２をＳＣＰ（Ｓｅｒｖｉｃｅ  Ｃｌａｓｓ  Ｐｒｏｖｉｄｅｒ）としてサーバ装置４０３に送信する。
【００３９】
Ｓ３１０で情報処理装置４０１は、ＤＩＣＯＭ画像ファイルが保存されているフォルダを検索して、まだサーバ装置４０２に転送していない別のＤＩＣＯＭ画像ファイルがあるか否かを判断する。別のＤＩＣＯＭ画像ファイルがある（ＹＥＳ）と判断した場合には、Ｓ３０７に戻って、Ｓ３０８以降の処理を繰り返す。ここで別のＤＩＣＯＭ画像ファイルがない（ＮＯ）と判断された場合には、Ｓ３０３で新たに患者の圧縮画像が受信されるまで待機する（Ｓ３１１）。
＜サーバ装置４０３による動作＞
【００４０】
サーバ装置４０３のＣＰＵが読み取り実行可能なプログラムを実行することにより、各ステップの動作指示をして、図に示す各工程（処理）を実行するものとする。
【００４１】
Ｓ３０９でサーバ装置４０３は送信されたＤＩＣＯＭ画像ファイルをＳＣＵ（Ｓｅｒｖｉｃｅ  Ｃｌａｓｓ  Ｕｓｅｒ）として受信する。サーバ装置４０３は受信したＤＩＣＯＭ画像ファイルを患者毎の医用画像として管理する。
【００４２】
図４は、図１に示した情報処理装置３０２、情報処理装置４０１、医用画像管理サーバ４０３に適用可能な情報処理装置のハードウェア構成を示すブロック図である。
【００４３】
図４において、１はＣＰＵで、システムバス４に接続される各デバイスやコントローラを統括的に制御する。また、ＲＯＭ２あるいは外部メモリ１１には、ＣＰＵ１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００４４】
３はＲＡＭで、ＣＰＵ１の主メモリ、ワークエリア等として機能する。ＣＰＵ１は、処理の実行に際して必要なプログラム等をＲＯＭ２あるいは外部メモリ１１からＲＡＭ３にロードして、該ロードしたプログラムを実行することで各種動作を実現するものである。
【００４５】
また、５は入力コントローラで、キーボード（ＫＢ）９や不図示のマウス等のポインティングデバイス等からの入力を制御する。６はビデオコントローラで、ＣＲＴディスプレイ（ＣＲＴ）１０等の表示器への表示を制御する。なお、図２では、ＣＲＴ１０と記載しているが、表示器はＣＲＴだけでなく、液晶ディスプレイ等の他の表示器であってもよい。これらは必要に応じて管理者が使用するものである。
【００４６】
７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ１１へのアクセスを制御する。
【００４７】
８は通信Ｉ／Ｆコントローラで、ネットワークＬＡＮを介して外部機器と接続・通信するものであり、ネットワークでの通信制御処理を実行する。例えば、ＴＣＰ／ＩＰを用いた通信等が可能である。
【００４８】
なお、ＣＰＵ１は、例えばＲＡＭ３内の表示情報用領域へアウトラインフォントの展開（ラスタライズ）処理を実行することにより、ＣＲＴ１０上での表示を可能としている。また、ＣＰＵ１は、ＣＲＴ１０上の不図示のマウスカーソル等でのユーザ指示を可能とする。
【００４９】
図５は情報処理装置３０２が記憶する設定ファイルであり、Ｓ１０９で判断される転送状況の閾値として、設定ファイル中の転送状況条件５００１が用いられる。なお、設定ファイル中の転送状況条件５００１をユーザが書き換えることで、自由に転送状況条件５００１を変更することが可能となる。たとえば受信した電波の強弱状況が低で、転送状況条件５００１が中の場合には、Ｓ１０９で転送状況は良好ではない（ＮＯ）と判断されることになる。
【００５０】
さらに、Ｓ１１６で判断される転送状況の閾値として、設定ファイル中の通信速度条件５００２が用いられる。なお、設定ファイル中の通信速度条件５００２をユーザが書き換えることで、自由に通信速度条件５００２を変更することが可能となる。たとえば計測した電波の通信速度が２Ｍｂｐｓ（ビット毎秒）で、通信速度条件５００２が１００ｋｂｐｓ（ビット毎秒）の場合には、Ｓ１１６で通信速度が良好である（ＹＥＳ）と判断されることになる。例えば１０Ｍの容量のＤＩＣＯＭ画像ファイルを１００ｋｂｐｓの状況で転送する場合、転送が完了するまでに１ファイルあたり１００秒の時間を要することになる。健康診断は多数の患者が連続してレントゲン撮影を行うので、通信速度条件５００２を、患者毎の撮影間隔になるようにしてもよい。例えば、図５の設定ファイル中に患者毎のレントゲン撮影間隔（頻度）を１００秒として予め設定し、かつ１０Ｍ（事前設定値）の容量のＤＩＣＯＭ画像ファイルを患者毎に１ファイルずつ転送する場合、通信速度条件５００２を、自動で計算して１００ｋｂｐｓ（ビット毎秒）以上に自動設定して登録ことで、患者毎の撮影間隔に最適な通信速度条件５００２の方を自動計算するようにしてもよい。
図６は情報処理装置３０２が管理するＤＩＣＯＭ画像の転送管理テーブルであり、撮影されたＤＩＣＯＭ画像毎の現在の転送状況を管理するテーブルである。
６００１は撮影された患者毎に付与される管理ＩＤである。
６００２は撮影されたＤＩＣＯＭ画像毎に付与される管理ＩＤである。
６００３は撮影されたＤＩＣＯＭ画像が保存されているフォルダのパス（保存箇所）であり、ここで指定されたパスに自動で保存される。
【００５１】
６００４は最新の転送状況のステイタスであり、Ｓ１０５の処理中でれば圧縮中、Ｓ１１０の処理中であれば転送中、既に転送が完了したものであれば転送済みのステイタスに随時更新される。
【００５２】
本発明を実現するための後述する各種プログラムは、外部メモリ１１に記録されており、必要に応じてＲＡＭ３にロードされることによりＣＰＵ１によって実行されるものである。さらに、上記プログラムの実行時に用いられる定義ファイル及び各種情報テーブル等も、外部メモリ１１に格納されており、これらについての詳細な説明も後述する。
【００５３】
また、本願発明におけるプログラムは、図２乃至図３に示すフローチャートの処理方法をコンピュータが読み取り実行可能なプログラムであり、本願発明の記憶媒体は処理方法をコンピュータが実行可能なプログラムとして、外部メモリに記憶されている。
【００５４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本願発明の目的が達成されることは言うまでもない。この場合、記録媒体から読み出されたプログラム自体が本願発明の新規な機能を実現することになり、そのプログラムを記憶した記録媒体は本発明を構成することになる。
【００５５】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００５６】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００５７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００５８】
また、本願発明は、複数の機器から構成されるシステムに適用しても、１つの機器からなる装置に適用してもよい。また、本願発明は、システムあるいは装置にプログラムを供給することによって達成される場合にも適応できることは言うまでもない。この場合、本願発明を達成するためのプログラムを格納した記録媒体を該システムあるいは装置に読み出すことによって、そのシステムあるいは装置が、本願発明の効果を享受することが可能となる。
【００５９】
さらに、本願発明を達成するためのプログラムをネットワーク上のサーバ，データベース等から通信プログラムによりダウンロードして読み出すことによって、そのシステムあるいは装置が、本願発明の効果を享受することが可能となる。
なお、上述した各実施形態およびその変形例を組み合わせた構成も全て本願発明に含まれるものである。
【符号の説明】
【００６０】
１００    移動車両
２００    健康診断施設                              
３００    モダリティ
３０１    医用画像
３０２    情報処理装置（転送装置）
３０３    ＶＰＮルータ
３０４    ドングル装置
４００    ＶＰＮルータ
４０１    情報処理装置
４０２    医用画像
４０３    医用画像管理サーバ（情報処理装置）
【図１】
2020031425.tif 000003
【図２】
2020031425.tif 000004
【図３】
2020031425.tif 000005
【図４】
2020031425.tif 000006
【図５】
2020031425.tif 000007
【図６】
2020031425.tif 000008